(57)【要約】  組織画像化システムは、レーザーを出力するためのレーザーモジュールと、レーザーモジュールから受け取ったレーザーパルスを、複数の時間遅延サブパルスに分離するように構成された光学遅延モジュールと、光学遅延モジュールからのサブパルスをターゲット体積に送達するための望遠鏡と、第１及び第２のサブパルスによるターゲット体積の励起に応じてターゲット体積内で生成された光子を収集するように構成された光検出器と、を含む。システムはさらに、光学遅延モジュールから時間多重化レーザーパルスを受け取り、時間多重化レーザーパルスを第１のサブビーム及び第２のサブビームを含む複数のサブビームに分離するように構成された空間多重化モジュールを含んでもよく、第１のサブビーム及び第２のサブビームは、ターゲット体積内の第１の深さに形成された第１の画像平面に対して、及びターゲット体積内の第２の深さに形成された第２の画像平面に対して空間的に分離される。
2019536059.tif 000002
【特許請求の範囲】
【請求項１】
レーザーパルスを出力するためのレーザーモジュールと、
前記レーザーモジュールから受けたレーザーパルスを、第１のサブパルス及び第２のサブパルスを含む複数のサブパルスに分離し、前記第１のサブパルスと前記第２のサブパルスとの間に時間遅延を導入するように構成された光学遅延モジュールと、
前記光学遅延モジュールからターゲット体積へ前記サブパルスを送達するための望遠鏡と、
前記第１及び第２のサブパルスによる前記ターゲット体積の励起に応じて、前記ターゲット体積内で生じた光子を収集するように構成された光検出器と、を含む、画像化システム。
【請求項２】
前記光学遅延モジュールが、
前記レーザーパルスを前記複数のサブパルスに分離するように構成されたビームスプリッターと、
前記第１及び第２のサブパルスを含む時間多重化レーザーパルスを形成するために、前記第１及び第２のサブパルスを結合するための光学結合器と、を含み、
前記望遠鏡が、前記時間多重化レーザーパルスを前記ターゲット体積に送達する、請求項１に記載の画像化システム。
【請求項３】
前記光学遅延モジュールがさらに、自由空間伝搬を介して、または光ファイバーを介して、前記第１のサブパルスと前記第２のサブパルスの間に時間遅延を導入するための少なくとも２つの光学経路を含む、請求項２に記載の画像化システム。
【請求項４】
前記光学遅延モジュールがさらに、
前記ビームスプリッターから受け取った前記第１のサブパルスを、前記ターゲット体積の第１の深さに集束するための第１の発散を有する第１の集束レンズと、
前記ビームスプリッターから受け取った前記第２のサブパルスを、前記ターゲット体積の第２の深さに集束するための第２の発散を有する第２の集束レンズと、を含む、請求項２に記載の画像化システム。
【請求項５】
前記光学遅延モジュールから前記時間多重化レーザーパルスを受け取るように構成された空間多重化モジュールをさらに含み、
前記空間多重化モジュールが、前記時間多重化レーザーパルスを、第１のサブビーム及び第２のサブビームを含む複数のサブビームに分離するためのビームスプリッターを含み、
前記第１のサブビーム及び前記第２のサブビームが、前記ターゲット体積内の第１の深さに形成された第１の画像平面に対して、及び前記ターゲット体積内の第２の深さに形成された第２の画像平面に対して空間的に分離された、請求項４に記載の画像化システム。
【請求項６】
前記空間多重化モジュールがさらに、前記第１及び第２のサブビームを角度偏向するためのスキャナーを含み、前記第１及び第２のサブビームがそれぞれ、前記第１及び第２の画像平面の第１及び第２の集束領域上に走査される、請求項５に記載の画像化システム。
【請求項７】
前記レーザーモジュールが、第１の反復率及び持続時間で放出された光パルスを含むレーザービームを出力するように構成され、前記レーザーモジュールによって出力される光に関する前記ターゲット体積内の集束スポットが、前記レーザーモジュールによって、連続するパルスの放出の間に、およそ第１の方向の前記集束スポットの幅だけ、第１の方向に偏向されるように、前記空間多重化モジュールがさらに、前記第１の反復率に基づく速さで前記スキャナーを移動するように構成されたコントローラを含む、請求項６に記載の画像化システム。
【請求項８】
前記スキャナーから前記角度偏向された第１及び第２のサブビームを受け取り、前記角度偏向された第１及び第２のサブビーム内の光パルスをそれらの各スペクトル成分に分光するための時間集束格子をさらに含む、請求項６に記載の画像化システム。
【請求項９】
前記光検出器が、
光増倍管と、
前記ターゲット体積内で発生した光子を集束するためのレンズアレイと、を含む、請求項１に記載の画像化システム。
【請求項１０】
レーザーパルスを出力するためのレーザーモジュールと、
前記レーザーモジュールからの前記レーザーパルスを受け取るように構成された空間多重化モジュールであって、前記空間多重化モジュールが、前記レーザーパルスを第１のサブビーム及び第２のサブビームを含む複数のサブビームに分離するためのビームスプリッターを含み、前記第１のサブビーム及び前記第２のサブビームが、ターゲット体積内の第１の深さに形成された第１の画像平面に対して空間的に分離された、空間多重化モジュールと、
前記空間多重化モジュールからの前記第１及び第２のサブビームを前記ターゲット体積に送達するための望遠鏡と、
前記第１及び第２のサブビームによる前記ターゲット体積の励起に応じて、前記ターゲット体積内に生成された光子を収集するように構成された光検出器と、を含む、画像化システム。
【請求項１１】
前記空間多重化モジュールがさらに、前記第１及び第２のサブビームを角度偏向するためのスキャナーを含み、それによって、前記第１及び第２のサブビームが、前記第１の画像平面の第１及び第２の集束領域上でそれぞれ走査される、請求項１０に記載の画像化システム。
【請求項１２】
前記レーザーモジュールが、第１の反復率及び持続時間で放出された光パルスを含むレーザービームを出力するように構成され、
前記レーザーモジュールによって出力された光に関する前記ターゲット体積内の集束スポットが、前記レーザーモジュールによる連続するパルスの放出の間に、ほぼ第１の方向の前記集束スポットの幅だけ、第１の方向に偏向されるように、前記空間多重化モジュールがさらに、前記第１の反復率に基づく速さで前記スキャナーを移動するように構成されたコントローラを含む、請求項１１に記載の画像化システム。
【請求項１３】
前記空間多重化モジュールがさらに、前記角度偏向された第１及び第２のサブビームを前記スキャナーから受け取り、前記角度偏向された第１及び第２のサブビーム内の光パルスをそれぞれのスペクトル成分に分光するための時間集束格子を含む、請求項１１に記載の画像化システム。
【請求項１４】
前記光検出器が、
光増倍管と、
前記ターゲット体積内で生成された光子を集束するためのレンズアレイと、を含む、請求項１０に記載の画像化システム。
【請求項１５】
ターゲット体積内の蛍光体の高速画像化のための方法であって、前記方法が、
それぞれ１０ｐｓ未満の持続時間のパルスを含むパルスレーザービームを提供する段階と、
前記パルスレーザービームのパルスを第１のサブパルス及び第２のサブパルスを含む複数のサブパルスに分離する段階と、
前記ターゲット体積に入る前記第１のサブパルスと、前記ターゲット体積に入る第２のサブパルスとの間に時間遅延を導入する段階と、
前記第１及び第２のサブパルスによる前記ターゲット体積の励起に応じて、前記ターゲット体積内で生成された光子を収集する段階と、を含む、方法。
【請求項１６】
前記第１及び第２のサブパルスによる前記ターゲット体積の励起が、２光子励起方式、３光子励起方式、またはその組み合わせでの前記ターゲット体積内の蛍光体の励起を含む、請求項１５に記載の方法。
【請求項１７】
前記第１のサブパルスと前記第２のサブパルスとの間の前記時間遅延が、自由空間伝搬を介して、または光ファイバーを介して導入される、請求項１５に記載の方法。
【請求項１８】
前記ターゲット体積内の共通平面に、前記第１及び第２のサブパルスを集束する段階をさらに含む、請求項１５に記載の方法。
【請求項１９】
前記第１のサブパルスを前記ターゲット体積内の第１の深さに集束する段階と、
前記第２のサブパルスを前記ターゲット体積内の第２の深さに集束する段階と、をさらに含み、前記第２の深さが前記第１の深さと異なる、請求項１５に記載の方法。
【請求項２０】
前記第１及び第２のサブパルスを含む時間多重化レーザーパルスを形成するために前記第１及び第２のパルスを結合する段階と、
前記時間多重化レーザーパルスを、第１のサブビーム及び第２のサブビームを含む複数のサブビームに空間的に分離する段階であって、前記第１のサブビーム及び前記第２のサブビームが、前記ターゲット体積内の前記第１の深さに形成された第１の画像平面に対して、及び前記ターゲット体積内の前記第２の深さに形成された第２の画像平面に対して空間的に分離される、分離する段階と、
前記空間的に分離された時間多重化レーザーパルスを前記ターゲット体積に送達する段階と、をさらに含む、請求項１９に記載の方法。
【請求項２１】
前記第１及び第２のサブビームをスキャナーで角度偏向し、それによって前記第１及び第２のサブビームが、前記第１及び第２の画像平面の第１及び第２の集束領域上でそれぞれ走査される段階をさらに含む、請求項２０に記載の方法。
【請求項２２】
レーザーモジュールによって出力される光に関する前記ターゲット体積内の集束スポットが、前記パルスレーザービームの連続するパルスの放出の間に、ほぼ第１の方向の前記集束スポットの幅だけ第１の方向に偏向されるように、前記スキャナーを、前記パルスレーザービームの反復率に基づく速さで移動する段階をさらに含む、請求項２１に記載の方法。
【請求項２３】
ターゲット体積内の蛍光体の高速画像化のための方法であって、前記方法が、
それぞれ１０ｐｓ未満の持続時間のパルスを含むパルスレーザービームを提供する段階と、
前記パルスレーザービームを、第１のサブビーム及び第２のサブビームを含む複数のサブビームに分離する段階であって、前記第１のサブビーム及び前記第２のサブビームが、ターゲット体積内の第１の深さに形成された第１の画像平面に対して空間的に分離される、分離する段階と、
前記第１及び第２のサブビームを前記ターゲット体積に送達する段階と、
前記第１及び第２のサブパルスによる前記ターゲット体積の励起に応じて前記ターゲット体積内に生成される光子を収集する段階と、を含む、方法。
【請求項２４】
前記第１及び第２のサブビームをスキャナーで角度偏向し、それによって前記第１及び第２のサブビームが、前記第１の画像平面の第１及び第２の集束領域上でそれぞれ走査される段階をさらに含む、請求項２３に記載の方法。
【請求項２５】
レーザーモジュールによって出力される光に関する前記ターゲット体積内の集束スポットが、前記パルスレーザービームの連続するパルスの放出の間に、ほぼ第１の方向の前記集束スポットの幅だけ第１の方向に偏向されるように、前記パルスレーザービームの反復率に基づく速さで前記スキャナーを移動する段階をさらに含む、請求項２４に記載の方法。
【発明の詳細な説明】
【技術分野】
【０００１】
本出願は、２０１６年１０月３０日に出願された、米国仮出願第６２／４１４７８８号の優先権を主張し、その明細書は全ての目的についてその全体が本明細書に組み込まれている。
【背景技術】
【０００２】
現代の神経科学の主要な目標は、神経ネットワークが、認知機能に関連する機能を実行する方法を理解することである。この目標を達成するために、たとえ最も単純であっても、神経ネットワークのブロックを構築している大型ニューロンの活動を同時に独立して記録することが有用である。しかし、この課題は、利用可能なツール及び技術の欠点に妨げられている。
【０００３】
ある種の光学顕微鏡は、げっ歯類の脳内の数万のニューロンから活動をほぼ同時に記録可能にすることによってこの課題に対処し、それにより、人間の脳の様々な健康状態及び病理学的状態を含む、哺乳類の脳内の情報処理の基本原理を理解することについて主要な飛躍を可能にしている。
【０００４】
顕微鏡は、多重走査時間集束（Ｍｕｌｔｉｐｌｅｘｅｄ  Ｓｃａｎｎｅｄ  Ｔｅｍｐｏｒａｌ  Ｆｏｃｕｓｉｎｇ，ＭｕＳＴ）技術を、最適化されたパルス特性を有するレーザーシステムと組み合わせて使用する。ＭｕＳＴは斬新な技術であり、局所的な微小回路を完全な皮質神経回路のレベルに橋渡しする。しかし、大きな体積の皮質、例えば５００×５００×５００マイクロメートル（μｍ）よりも大きな体積のバイアスのない機能的画像化を、単一細胞分解能及び生理学的時間スケール（例えば５Ｈｚよりも高速）で実行することは依然として困難である。
【０００５】
哺乳類の大脳皮質における神経ネットワークの活動は、知覚、運動行動の発生、または記憶形成などの複雑な脳機能をサポートする。プロセスを理解するために、高空間−時間分解能で、理想的には機能的皮質神経回路を含む大きな体積の大脳皮質内の全てのニューロンからの記録を行うことが必要である。この１０年にわたり、２光子走査顕微鏡法（２  Ｐｈｏｔｏｎ  Ｓｃａｎｎｉｎｇ  Ｍｉｃｒｏｓｃｏｐｙ，２ＰＭ）及び遺伝符号化カルシウム指標（Ｇｅｎｅｔｉｃａｌｌｙ  Ｅｎｃｏｒｄｅｄ  Ｃａｌｃｉｕｍ  Ｉｎｄｉｃａｔｏｒｓ，ＧＥＣＩｓ）の組合せが、ニューロン活動の光学的な読み出しのための必須ツールとして出現している。ＧＣａＭＰｓなどのＧＥＣＩｓの変形例が、ニューロン活動の代わりに、ニューロンの効率的な、細胞の種類に特有のラベリングや、細胞内カルシウムレベルの変化の感度の高い光学的記録のために幅広く使用されている。しかし、従来の２光子走査顕微鏡法における機械的、及び光学的制約は、神経ネットワークダイナミクスを捕捉可能な有効体積視野（Ｖｏｌｕｍｅｔｒｉｃ  Ｆｉｅｌｄ−Ｏｆ−Ｖｉｅｗ，Ｖ−ＦＯＶ）及び時間分解能を厳しく制限してきた。
【０００６】
２光子走査顕微鏡法は、ほぼ回折限界の光学分解能、優れた信号対雑音比及び、重要な、かつ、１光子励起に基づく他の高速体積画像化手法とは対照的に、改善された深さ方向の侵入を特徴とする。しかし、これらの利点は、体積画像を取得することができるように、回折限界励起スポットが、水平面で、軸方向に沿って走査されなければならず、時間分解能が低くなるという欠点を有する。既知の回折限界２光子走査手法は、様々な性能を有する。具体的には、典型的な３５０×３５０μｍまたは５１２×５１２画素平面を仮定すると、１ｋＨｚ（キロヘルツ）の走査周波数の標準的なガルバノメトリック点走査は、２方向走査に関して約４Ｈｚ（ヘルツ）のフレームレート（これはまた、画像化システムの「時間分解能」とも呼ばれうる）を得る。
【０００７】
この速度限界を解決するための方法は、音響−光学偏向器（Ａｃｏｕｓｔｏ−Ｏｐｔｉｃａｌ  Ｄｅｆｌｅｃｔｏｒｓ，ＡＯＤｓ）を用いたランダムアクセス走査を含み、方法は最大約５０ｋＨｚ／Ｎのレートで画像取得するために設計され、ここで、Ｎは点の数である。第２の可能性として、ＡＯＤｓまたは共振スキャナーを用いた高速平面走査は、フレームレートを顕著に増大させることができる。例えば、典型的な８ｋＨｚの共振スキャナーは、前述の３５０×３５０μｍ（５１２×５１２画素）画像について２方向走査モードで、「ビデオレート」（例えば３０Ｈｚ）を達成するのに有効となるが、３０Ｈｚのフレームレートで軸方向に１秒当たり約５から１０の個別のｚ平面または約５０μｍをカバーすることができるのみである。将来、機械的走査速度が改善されたとしても、そのような走査速度の増加は、有用な信号対雑音レベルを維持するために照射強度を増加することによって達成されなければならないため、蛍光飽和が、最終的に走査速度全体に制限を課す可能性がある。点状の２光子レーザー走査に他の三次元（３Ｄ）画像化手法が存在するが、ほとんどは、依然として小さなＶ−ＦＯＶを提供するのみであり、細胞レベルの画像分解能を達成できないか、または散乱体の感受性に起因して、前述の性能目標にははるかに及ばない。目標位置への走査を限定することによりフレームレートを増大しうるランダムアクセス走査手法は、ニューロンの位置における事前の知見を必要とし、そのため、ニューロンがフレームごとに動くため、覚醒した動物に応用するのは困難である。
【発明の概要】
【課題を解決するための手段】
【０００８】
本開示の１つの態様に従う組織画像化システムは、レーザーパルスを出力するためのレーザーモジュールと、レーザーモジュールから受けたレーザーパルスを、複数の時間遅延サブパルスに分離するように構成された光学遅延モジュールと、光学遅延モジュールからターゲット体積へサブパルスを送達するための望遠鏡と、第１及び第２のサブパルスによるターゲット体積の励起に応じて、ターゲット体積内で生じた光子を収集するように構成された光検出器と、を含む。サブパルスは、第１のサブパルス及び第２のサブパルスを含み、第２のサブパルスは第１のサブパルスに対して３倍以上遅延される。第１のサブパルスはターゲット体積内の第１の深さに集束されてもよく、第２のサブパルスはターゲット体積内の第２の深さに集束されてもよく、第２の深さは第１の深さとは異なる。代替的に、第１及び第２のサブパルスは、ターゲット体積内の同じ深さに集束されてもよいが、隣接する平面に向けられうる。
【０００９】
光学遅延モジュールは、好適には、レーザーパルスを複数のサブパルスに分離するように構成されたビームスプリッターと、第１のサブパルスと第２のサブパルスとの間に時間遅延を導入するための少なくとも２つの光学経路と、第１及び第２のサブパルスを含む時間多重化レーザーパルスを形成するために、第１及び第２のサブパルスを結合するための光学結合器と、を含み、望遠鏡が、時間多重化レーザーパルスをターゲット体積に送達する。光学経路は、自由空間伝搬を介して、または光ファイバーを介して、時間遅延を導入しうる。光学遅延モジュールはさらに、好適には、ビームスプリッターから受け取った第１のサブパルスを、ターゲット体積の第１の深さに集束するための第１の発散を有する第１の集束レンズと、ビームスプリッターから受け取った第２のサブパルスを、ターゲット体積の第２の深さに集束するための第２の発散を有する第２の集束レンズと、を含む。
【００１０】
組織画像化システムはさらに、好適には、光学遅延モジュールから時間多重化レーザーパルスを受け取るように構成された空間多重化モジュールを含む。空間多重化モジュールは、時間多重化レーザーパルスを、第１のサブビーム及び第２のサブビームを含む複数のサブビームに分離するためのビームスプリッターを含む。第１のサブビーム及び第２のサブビームは、ターゲット体積内の第１の深さに形成された第１の画像平面に対して、及びターゲット体積内の第２の深さに形成された第２の画像平面に対して空間的に分離される。
【００１１】
空間多重化モジュールはさらに、好適には、第１及び第２のサブビームを角度偏向するためのスキャナーを含み、第１及び第２のサブビームがそれぞれ、第１及び第２の画像平面の第１及び第２の集束領域上に走査される。この態様において、レーザーモジュールは、第１の反復率で放出された光パルスを含むレーザービームを出力するように構成され、第１の反復率は少なくとも１ＭＨｚであり、各パルスは１０ｐｓ未満の持続時間である。レーザーモジュールによって出力される光に関するターゲット体積内の集束スポットが、レーザーモジュールによって、連続するパルスの放出の間に、およそ第１の方向の集束スポットの幅だけ、第１の方向に変更されるように、空間多重化モジュールはさらに、好適には、第１の反復率に基づく速さでスキャナーを移動するように構成されたコントローラを含む。
【００１２】
システムはさらに、好適には、スキャナーから角度偏向された第１及び第２のサブビームを受け取り、角度偏向された第１及び第２のサブビーム内の光パルスをそれらの各スペクトル成分に分光するための時間集束格子を含む。第１及び第２の時間的サブパルスがターゲット体積の同じ深さの隣接する平面に向けられることとなる実施形態では、複数の時間集束格子が使用される。
【００１３】
さらに、光検出器は、好適には、光増倍管と、ターゲット体積内で発生した光子を集束するためのマイクロレンズアレイと、を含む。本組織画像化システムは、空間多重化モジュールのみを有して提供されることもありうる。
【００１４】
本開示の別の態様において、ターゲット体積内の蛍光体の高速画像化のための方法が提供される。この方法は、それぞれ１０ｐｓ未満の持続時間のパルスを含むパルスレーザービームを提供する段階と、パルスレーザービームのパルスを第１のサブパルス及び第２のサブパルスを含む複数のサブパルスに分離する段階と、ターゲット体積に入る第１のサブパルスと、ターゲット体積に入る第２のサブパルスとの間に時間遅延を導入する段階であって、時間遅延が少なくとも３ｎｓである段階と、第１及び第２のサブパルスによるターゲット体積の励起に応じて、ターゲット体積内で生成された光子を収集する段階と、を含む。本方法は、第１のサブパルスをターゲット体積内の第１の深さに集束する段階と、第２のサブパルスをターゲット体積内の第２の深さに集束する段階と、をさらに含んでもよく、第２の深さが第１の深さと異なる。
【００１５】
本方法に従う第１及び第２のサブパルスによるターゲット体積の励起は、好適には、２光子励起方式、３光子励起方式またはその組み合わせの、ターゲット体積内の蛍光体の励起を含む。
【００１６】
また、本方法は、好適には、第１及び第２のサブパルスを含む時間多重化レーザーパルスを形成するために第１及び第２のパルスを結合する段階と、時間多重化レーザーパルスを、第１のサブビーム及び第２のサブビームを含む複数のサブビームに空間的に分離する段階と、空間的に分離された時間多重化レーザーパルスをターゲット体積に送達する段階と、をさらに含み、第１のサブビーム及び第２のサブビームが、ターゲット体積内の第１の深さに形成された第１の画像平面に対して、及びターゲット体積内の第２の深さに形成された第２の画像平面に対して空間的に分離される。
【００１７】
本方法は、好適には、第１及び第２のサブビームをスキャナーで角度偏向し、それによって第１及び第２のサブビームが、第１及び第２の画像平面の第１及び第２の集束領域上でそれぞれ走査される段階をさらに含む。さらに、レーザーモジュールによって出力される光に関するターゲット体積内の集束スポットが、パルスレーザービームの連続するパルスの放出の間に、ほぼ第１の方向の集束スポットの幅だけ第１の方向に偏向されるように、スキャナーが、好適には、パルスレーザービームの反復率に基づく速さで移動される。
【００１８】
また、ここでも、本方法はビームを空間多重化するステップを含むのみであることも考えられうる。
【００１９】
図面は、限定のためではなく、例示のみのために、本教示に従う１つまたは複数の実施例を示す。図面において、類似する参照符号は同じまたは類似の要素を指す。
【図面の簡単な説明】
【００２０】
【図１】本発明の一態様に従う例示的な画像化システムの概略図である。
【図２】図１に示された時間集束レーザービームレットの空間多重化の拡大図である。
【図３】実施例に従う空間多重化されたサンプルの走査を示す。
【図４Ａ】実施例に従う、画像化システムによるサンプルの走査の段階を示す。
【図４Ｂ】実施例に従う、画像化システムによるサンプルの走査の段階を示す。
【図４Ｃ】実施例に従う、画像化システムによるサンプルの走査の段階を示す。
【図４Ｄ】実施例に従う、画像化システムによるサンプルの走査の段階を示す。
【図５】実施例に従う、時間多重化モジュールの概略図である。
【図６Ａ】実施例に従う、サンプル内に侵入する時間多重化サブパルスを示す。
【図６Ｂ】別の実施例に従う、サンプル内に侵入する時間多重化サブパルスを示す。
【図７】本発明に従う方法の実施例の第１のシーケンスに従う、サンプル内に侵入する時間的かつ空間的に多重化されたビームを概略的に表す。
【図８】本発明の実施形態に従う方法の実装例の第２のシーケンスに従う、サンプル内に侵入する時間的かつ空間的に多重化されたビームを概略的に表す。
【図９】本発明に従う方法の実施例の第３のシーケンスに従う、サンプル内に侵入する時間的かつ空間的に多重化されたビームを概略的に表す。
【図１０Ａ】実施例に従う、（時間多重化されたサブパルスまたはそうでない）光学パルスのための集束されたスポットの走査を示す。
【図１０Ｂ】実施例に従う、（時間多重化されたサブパルスまたはそうでない）光学パルスのための集束されたスポットの走査を示す。
【図１１】実施例に従う、核閉じ込めされた赤色の蛍光たんぱく質を表すマウスの聴覚皮質における、体内体積スタック取得を示す。
【図１２】本開示の態様が実施されうるコンピュータシステムを示すブロック図である。
【図１３】複数の時間集束格子をサポートするための格子アセンブリを示す。
【発明を実施するための形態】
【００２１】
多重走査時間集束（ＭｕＳＴ）に関する２つの技術が、本明細書において開示される。２つの技術は、２光子走査顕微鏡法及び３光子走査顕微鏡法を含む。開示されたＭｕＳＴ技術（２光子及び３光子）のいずれも、既知の技術と比較して高フレームレートで高いカルシウム画像取得に関する優れた性能を提供する。
【００２２】
図１は、例示的な画像化システム１００の概略図を示す。画像化システム１００は、光の反復超高速パルスを含むパルス化主レーザービーム１０９（「レーザーパルス」と呼ばれうる）を出力する（または放出する）、パルス出力レーザーモジュール１３９を含む。例えば、レーザーモジュール１３９は、例えば、市販の、または特注のファイバーベースのチャープパルス増幅器（Ｆｉｂｅｒ−ｂａｓｅｄ  Ｃｈｉｒｐｅｄ  Ｐｕｌｓｅ  Ａｍｐｌｉｆｉｅｒ，ＦＣＰＡ）を用いて実現されうる。レーザーモジュール１３９は、例えば、１から５ＭＨｚの反復率で、光のパルスを出力しうる。光の各パルスの持続時間はそれぞれ、例えば１００ｐｓ（ピコ秒）未満、５０ｐｓ未満、２０ｐｓ未満、１０ｐｓ未満、５ｐｓ未満、１ｐｓ未満、１００ｆｓ（フェムト秒）未満、５０ｆｓ未満、または２０ｆｓ未満でありうる。レーザーモジュール１３９のいくつかの実施例は、「フェムト秒レーザー」と呼ばれうる。光の各パルスは、光の単一パルス内で、サンプル１１９の励起体積を励起するのに効果的なレーザーパワーを送達する。例えば、レーザーモジュールは、サンプル１１９内のターゲット位置において、約１００ｎＪ（ナノジュール）のパワーを送達する各パルスを有して、１ＭＨｚの反復率で１０４０ｎｍ波長の光のパルスを出力しうる。
【００２３】
図１に示された例において、レーザーモジュール１３９によって出力されるメインビームは、ビームスプリッター１０７（「空間セパレーター」とも呼ばれうる）を含む空間多重化モジュール１１０に提供され、これは、受け取ったメインビームを複数のサブビーム（「ビームレット」と呼ばれうる）に分割する。ビームスプリッター１０７によって出力される複数のサブビームは、まとめて「ビーム１０９」と呼ばれうる。いくつかの実施例において、ビームスプリッター１０７は、受け取った入射ビームを互いに等しい強度及び等しい角度によって特徴づけられうる複数のサブビームに分離する複数スポット回折光学素子（Ｄｉｆｆｒａｃｔｉｖｅ  Ｏｐｔｉｃａｌ  Ｅｌｅｍｅｎｔ，ＤＯＥ）を含みうる。１次元及び２次元（１Ｄ／２Ｄ）複数スポット回折光学素子の両方が存在する。１Ｄ素子は、ビームを直線に沿って分離し、２Ｄ素子は例えば、２×２または３×３のスポットの行列に配列されたビームを生成する。いくつかの例において、ビームスプリッター１０７は、レーザーモジュール１３９から受け取ったメインビームを４つのサブビームに分割して、ターゲット上に２×２行列の集束スポット（図２に示された集束スポット２０１、２０３、２０５、２０７によって示されるようなサンプル１１９）を得る。レーザーモジュール１３９によって出力されたメインビームの、複数のサブビームへの分割及び画像化平面内の異なる位置にサブビームを集束すること（例えば、図２の集束スポット２０１、２０３、２０５、２０７の配置）は、「空間多重化」と呼ばれうる。
【００２４】
ビーム１０９に含まれる複数のサブビームは引伸ばされて、変化する、選択的な、及び制御された（例えば計算デバイス１３１または画像化システム１００の他の要素によって）ビーム１０９の角度偏向を実行するスキャナー１１１の方へ向けられてもよく、その結果、サンプル１１９において集束スポットの制御された位置決定を得る。いくつかの例において、スキャナー１１１は、直線に沿ってビーム１０９の偏向を実行する１Ｄスキャナーでありうる。いくつかの例において、図３及び１０Ａの例に示されるように、スキャナー１１１は、２軸に関して角度偏向を実行する２Ｄスキャナーでありうる。スキャナー１１１は、ビーム１０９の角度偏向量を制御可能に変化させるために、例えば、１つもしくは複数のガルバノミラー、走査屈折光学系、１つもしくは複数の音響−光学偏向器、及び／または１つもしくは複数の電気−光学偏向器を含みうる。
【００２５】
スキャナー１１１によって付与された偏向の後、ビーム１０９は、ビーム１０９に含まれるサブビームを集束させるための球面走査レンズ１１３によって変換され、時間集束格子などのスペクトル分散素子１１５上に複数の焦点を形成しうる。スペクトル分散素子１１５は、ビーム１０９内に含まれる光パルスをそのスペクトル成分に分散し、これらは時間集束レンズ（ＴＦ−レンズ）１３７及び対物レンズ１３３を含む望遠鏡１１７によって時間的、空間的に再集束され、サンプル１１９の画像平面において画像化される。例えば、４×４または４×２空間時間多重化が、画像化システム１００の他の要素とともに望遠鏡１１７によって提供可能である。空間多重化の例が、図２及び３に示され、これらとともに議論され、時間多重化の例が図５、６Ａ及び６Ａに示され、これらとともに議論され、４×３空間時間多重化の例が、図７から９に示され、これらとともに議論される。
【００２６】
遺伝符号化カルシウム指標などの、しかしこれらに限定されない蛍光体（「蛍光色素」とも呼ばれうる）が、励起されたボクセル内に存在する蛍光体の量に対応する強度（または光子の数）で、ビーム１０９の励起によって光を再放出する。ビーム１０９内に含まれる各サブビームに起因する蛍光をマルチアノード光子増倍管（Ｍｕｌｔｉ−Ａｎｏｄｅ  Ｐｈｏｔｏｎ  Ｍｕｌｔｉｐｌｉｅｒ  Ｔｕｂｅ，ＭＡ−ＰＭＴ）１２７の各アノードなどの各光検出器に集束するために、遅延経路内にマイクロレンズアレイ（ＭＬ）１２５が含められてもよい。ダイクロイックミラー１４１や類似する光学素子が、光検出器に到達する非蛍光の量を減少させるために含められてもよい。マルチチャンネル計数カード（ｄｍＣＣ）１２９が、各ボクセルについて蛍光強度を決定するために時間領域において逆多重化を実行することができる。逆多重化された強度は、計算デバイス１３１（これは、画像化システム１００の様々な態様を制御するようにさらに構成されうる）によって収集され、さらに処理され、表示され、または更なるアクセスおよび分析のために局所またはグローバルメモリ内に保存されてもよい。
【００２７】
画像化システム１００は、取得体積及び速度を劇的に増加させることができる。いくつかの実施例において、レーザーモジュール１３９によって出力されたメインレーザービーム内の光パルスの４×４空間時間多重化の結果として、最大１×１ｍｍのＦＯＶが、１６倍の対物系を用いて達成可能である。２光子顕微鏡法における予測される蛍光信号を決定するパラメータは、数式（１）を用いて評価されうる。蛍光体ごとに吸収される光子の数Ｎａ及び、したがってパルスレーザー源を介した２光子励起における蛍光信号は、以下に比例する。
【００２８】
【数１】
2019536059.tif 000003
【００２９】
数式（１）において、Ｐｏはサンプル平面（例えばサンプル１１９の上面）における平均レーザーパワーであり、ｉｆはレーザーのパルス反復率であり、τはパルス長であり、λは中心波長であり、Ａはサンプルにおける励起面積（例えば、標準的な２光子走査顕微鏡法の場合には、レーザー集束の回折限界面積）であり、Δｔは滞留（または露光）時間である。数式（１）の重要な側面は、吸収した光子の数Ｎａの、Ａに対する２次依存及びΔｔに対する線形依存である。一例として、面積要素Ａが１０倍に小さくなった場合、所定の位置における滞留時間Δｔは、同じ画像化フレームレートを維持するためには同じだけ減少される必要がある。しかし、Ｎａ〜Δｔ／Ａ２であるため、蛍光収率はこの例では１０倍に増加し、それによって、滞留時間をさらに減少させることが可能であり、そのためフレームレートが増大する。
【００３０】
したがって、所定のＶ−ＦＯＶ及び分解能では、励起面積、例えばサンプル１１９のレーザー集束スポットの大きさをほぼ所望の分解能に設定すると、所定の平均レーザーパワーで画像化速度の最適化をもたらしうる。さらに、Ｖ−ＦＯＶ、分解能及び所望の時間分解能は、ボクセル画像化レート、例えば１秒当たり画像化されるボクセルの数を決定する。数式（１）は、反復率ｆがボクセル画像化レートに等しくなるように設定された場合に、パルスエネルギーを所定の平均レーザーパワーについて最大化（単一パルスでの励起）を可能にするため、蛍光収率が最適化されうるという見解をサポートする。
【００３１】
ビーム１０９の時間集束（Ｔｅｍｐｏｒａｌ  Ｆｏｃｕｓｉｎｇ，ＴｅＦｏ）は、数式（１）に示されるように、水平及び軸方向のビームパラメータの間の結合に起因する限界を回避する。ＴｅＦｏでは、フェムト秒パルスレーザーのスペクトルは、スペクトル分散素子１１５によって空間的に分散され、ＴＦレンズ１３７及び対物レンズ１３３を含む望遠鏡１１７によってサンプル上に画像化される。それによって、ビーム１０９におけるパルスの周波数成分は、対物レンズ１３７の焦点を除いてあらゆる場所で幾何学的に分散される。これは、ピークパルス強度の効果的な減少をもたらし、そのため集束領域の外側の２光子励起の可能性を低下させる。励起の軸方向局在化は、サンプル内のパルスの分散を制御することによって達成可能であり、その一方水平方向の励起パターンは、レンズ及び対物系の選択によって独立に設定可能である。
【００３２】
１つの実施例において、カルシウム画像化は、単一細胞の分解能で、約５００×５００×５００μｍまたは１０００×１０００×７００μｍ（マウスの大脳新皮質内の皮質柱の大きさに匹敵する）の３Ｄ体積内のニューロンの大部分から、それぞれ、２０Ｈｚ及び３Ｈｚよりも大きい時間分解能で記録することが可能な画像化システムを実現することによって改善されうる。
【００３３】
いくつかの実施例において、システム１００の深組織画像化性能は、３光子励起を組み込むことによって最適化可能である。一般に、従来の２光子顕微鏡法による海馬画像化実験は、侵襲的な外科手術を伴い、その間、皮質は除去され、約１．５ｍｍの深さの画像化カニューラ−ウィンドウが埋め込まれる。しかし、そのような外科手術の後でさえも、表面の海馬ＣＡ１領域のみがアクセス可能になるだけである。対照的に、開示される３光子ＭｕＳＴ画像化手法は、侵襲性が顕著に少なく、皮質の除去の必要なく、脳表面の約１．１ｍｍ下のＣＡ１細胞体層の画像化が可能になる。開示される手法はまた、皮質外科手術後の深部海馬領域（例えばＣＡ３、ＤＧ）の画像化も可能にし、すなわち、海馬ＣＡ１及び海馬回路全体（例えば、海馬背面の約１ｍｍ下）をそのままにすることが可能になる。
【００３４】
さらに、２光子顕微鏡法は、画像深さとともに励起確率を指数関数的に低下させる、入射レーザーパルスの散乱のために、１ｍｍの深さより下部の画像化にはあまり適していない場合がありうる。対照的に、約１７００ｎｍの励起による３光子顕微鏡法は、赤色の蛍光たんぱく質（Ｒｅｄ  Ｆｌｕｏｒｅｓｃｅｎｔ  Ｐｒｏｔａｉｎ，ＲＦＰ）などの赤色の、非機能性蛍光たんぱく質の蛍光を画像化するために実行可能である。さらに、別のスペクトルウィンドウも、約１３００から１４００ｎｍに存在してもよく、ここでは、散乱及び水の吸収による複合的な減衰長が、深部組織画像化に有利でありうる。この波長領域は、ＧＣａＭＰなどの緑色カルシウム指標の３光子励起に対応する。前述のように、レーザーモジュール１３９は、光の超短パルスを出力し、これは、３光子顕微鏡法に起因する蛍光信号の強度（Ｓ３Ｐ）がパルス長（Ｔ）の２乗に反比例する、例えばＳ３Ｐ〜Ｔ−２であるため、特に３光子顕微鏡法に関して有利である。
【００３５】
開示された手法に関連する理論計算に基づき、典型的には３光子顕微鏡法において、吸収断面積は、約１０−８２ｃｍ２（ｓ／ｐｈｏｔｏｎ）２として計算可能である。さらに、ＧＣａＭＰの濃度式は、約２０μｍとして計算可能である。計算結果は、開示されたＭｕＳＴ手法の３光子励起との組合せは、５００×５００μｍのＦＯＶにわたって１ｍｍを超える深さの生体内画像化について、高フレームレート（例えば１秒間に１０フレームまたはそれ以上）を容易にするのに十分な信号を提供可能にすることを決定する。
【００３６】
開示される画像化システム１００は、数ヘルツの時間分解能で、信頼できる単一細胞分解能を有する前例なく大きなＶ−ＦＯＶｓ（例えば２０Ｈｚで５００×５００×５００μｍ、または３Ｈｚで１×１×０．７ｍｍ）の非バイアスカルシウム画像化を提供することができる。そのような画像化システムは、何万ものニューロンのネットワーク活動のダイナミクスをほぼ同時にモニターする能力を提供する。哺乳類の皮質では、この能力は、皮質層にわたるネットワーク活動のダイナミクスを捕捉し、関連付けることができることになるため、知見を情報処理の計算原理に拡張する機会を提供する。
【００３７】
さらに、開示される手法は、ショウジョウバエ属やゼブラフィッシュなどのより小さなモデル生物の脳全体の画像化を可能にし、その３光子画像化への拡張は、従来は利用することができなかった組織の深さ（例えば、１ｍｍよりも深い皮質領域）における非侵襲的細胞分解能画像化を可能にする。
【００３８】
哺乳類の皮質内のニューロンの平均的な大きさ（直径約１０μｍ）を考慮して、空間分解能は、約５μｍまで等方的に容易に低減可能であり、その一方で、依然として信頼性のある単一細胞分解能を可能にする。これは、特に、稠密な皮質領域内であっても、核局在化カルシウム指標が使用される場合である。しかし、励起の水平方向の局在（ｗ）及び励起の軸方向の局在（ｚ）がｚ〜２ｗ２で本質的に結合されているため、光学系からの基本的な制約事項は、そのようなレーザースポットの大きさのそのような焦点の大きさへの任意の成形を可能としない。そのため、水平方向に５μｍの幅のレーザー焦点を生成すると、同じ焦点は、軸方向には約４０μｍ以上に拡大し、そのため単一ニューロン分解能に対して十分な光学的セクショニングを提供しない。前述のように、時間集束（ＴｅＦｏ）は、水平方向ビームパラメータと軸方向ビームパラメータとの間の結合の上述の限界を回避する。
【００３９】
様々な例において、４ＭＨｚの反復率で最大約１００ｎＪのレーザーパルスエネルギーが、５００×５００×５００μｍの予測体積にわたって３Ｈｚの体積レートで、画像化システム１００による高速単一細胞分解能カルシウム画像化を達成するために必要となりうる。計算されたレーザーパワーはさらに、５×５×５μｍの体積をカバーする励起スポットで、１２ｋＨｚでの２方向共振レーザー走査を仮定しうる。
【００４０】
例示的な実施例において、画像化システム１００は、走査時間集束に基づき、散乱脳組織内の機能的カルシウム画像化のために使用可能である。特性決定及び試験フェーズの間に異なる光学画像化及び走査パラメータ間の信頼性のある比較を得るために、安定した蛍光特性を有する標準的な生体でないがそれでもなお生きたマウスの脳の散乱特性と似ている（いわゆる「ファントム組織」）サンプルが採用されうる。さらに、均一に分布した副回折蛍光ビーズを有するカスタム型試験サンプルが、開示されたセットアップで採用される大散乱角及び非常に長いチューブ型レンズに起因する収差及びひずみの効果を測定し、最適化するために使用されうる。画像化システム１００は、画像化速度及びＦＯＶを改善しうる。改善は、時間多重化方式とともに空間多重化方式を走査時間集束顕微鏡に組み込むことによって、画像化体積、ＦＯＶ及び体積速度に対してなされうる。
【００４１】
空間多重化において、体積画像化速度は、スキャナー１１１について使用される場合、共振走査ミラーの周波数（約１２ｋＨｚ）に、ほとんど制限されうる。そのため、速度全体の改善への実行可能な道筋は空間多重化であり、これにおいて、励起レーザービームは、例えば、４本のサブビームに分割されてもよく、これらは、次いでＦＯＶ内のサブ領域に導かれ、平行に走査されてもよい。カスタム型回折光学素子は、マイクロレンズアレイに基づく従来の手法と比較して、効率及び均一性を増大することができるように、メインビームを分割するために使用されうる。空間多重化のための光学設計は、各ビームレットによって励起された蛍光が別個の光検出器上へ画像化されうるように、慎重に選択されなければならない。この目的で、マルチアノードＰＭＴ（ＭＡ−ＰＭＴ）１２７が使用されうる。１つの実施例においてＭＡ−ＰＭＴ１２７は、サブ領域からＭＡ−ＰＭＴ１２７の検出器ユニット上へ蛍光を集束させる検出経路内で、カスタム型マイクロレンズアレイ１２５と組み合わせて使用されうる。
【００４２】
励起及び検出経路は、例えば、所定の画像化深さ及び組織散乱について個別の検出器素子上の蛍光のクロストークを最小化しつつ、同時に収集効率を最適化するために計算デバイス１３１を用いるＺＥＭＡＸ（登録商標）などの光学設計ソフトウェアを用いてモデル化されうる。このクロストークは、約５００μｍの焦点間隔及び７００μｍ未満の深さで最少となりうる。異なるＭＡ−ＰＭＴ１２７の画素からの信号は、マルチチャンネル光子計数器カード１２９を用いることによって、光子計数モードで同期して収集されうる。さらに、処理後のデコンボリューションなどの逆多重化手法が、散乱により誘導されるクロストークをさらに抑制しうる。
【００４３】
時間多重化は、空間多重化に代えて利用可能であり、空間多重化と組み合わせると強力であり、時間多重化では、励起レーザーは分離され、相対的な時間遅延が、個別のビームレットに導入されうる。各ビームレットは、次いで、画像ＦＯＶの別のサブ領域に導かれ、または異なる画像平面に集束されうる。４ＭＨｚの例示的な反復率は、２５０ｎｓのパルス間隔に対応し、そのため、ビームレットを分割するのに十分な時間を可能にするため、特に確実な手法である。画像化システム１００において、個別のビームは、互いに対して１０ｎｓだけ遅延されてもよく、これは、ＧＣａＭＰ蛍光体の典型的な寿命（例えば約３ｎｓ）と比較して十分に長い。次いで、ビームレットは、同時画像取得を可能にするために、異なるｚ平面（図７から９に示される）に集束されうる。次いで、光子／信号をＭＡ−ＰＭＴ１２７における到達時間に基づいて領域／平面に割り当てることにより、逆多重化が、高速マルチチャンネル計数器（ｄｍＣＣ）を用いる電子的後処理において実行されうる。
【００４４】
サンプル１１９において必要な平均レーザーパワーが、体積の大きさの関数（ＦＯＶ）及び、画像化システム１００の光学分解能に等しいサンプル１１９の時間集束されたスポットの直径としてミリワット（ｍＷ）の単位でプロット可能である。例えば、望ましいトレードオフは、Ｖ−ＦＯＶが５００×５００×５００μｍ、スポットサイズが５μｍ幅、及び約１５０ｍＷのパワーが必要とされる場合に達成可能である。１５０ｍＷのパワーは、３ＭＨｚの反復率で、パルス当たり５０ナノジュール（ｎＪ）と等価でありうる。
【００４５】
別の例として、走査速度及びデジタル処理が、画素あたりただ１つのレーザーパルスが有効に存在するように設定されると、５００μｍの深さであっても、ＧＣａＭＰについて準最適である１０４０ｎｍのレーザー波長で約１００ｎＪのパルスエネルギーによって十分なＧＣａＭＰ信号が生成可能である。
【００４６】
１つの実施例において、時間集束技術（ＴｅＦｏ）が、カメラベース検出方式とともに、広視野構成で使用可能である。走査時間集束方式が使用可能であり、これは散乱する傾向がない。さらに、散乱成分を含む、発生した蛍光は、光電子増倍管（ＰＭＴ）１２７に対してカスタム設計された広角収集光学系によって効果的に結合され、画像の画素に割り当てられうる。増加された５×５×５μｍの励起体積は、同じ大きさだけ光学分解能が低下することに本質につながる可能性があり、これは依然としてマウスの皮質における個別の神経細胞を解像するのに十分であり得、「生体内」機能画像化において神経出力スパイク現象に関して感度があり、最もよく使用されうるサロゲート読み出しでありうる。
【００４７】
いくつかの例示的な実施形態において、覚醒し、活動しているマウスの高速３Ｄカルシウム画像化が可能になりうる。例えば、３Ｄ画像化は、５００×５００×５００μｍに延在する体積において、３Ｈｚよりも高い時間的分解能で実施されうる。高速３Ｄカルシウム画像化を達成するＴｅＦｏに基づく２光子顕微鏡法設計は、いくつかの特徴を共にもたらす。例えば、励起体積は、対象とする構造の大きさに従って「成形」されうる。これは、飽和していない蛍光の枠組みにおける動作を容易にしつつ、ボクセル当たりの信号の増加につながる。さらに、開示されるようなファイバーベースの増幅レーザー源（ＦＣＰＡ）１３０は、ボクセル画像化率を整合する反復率で最大パルスエネルギーを送達するように設計可能であり、そのため信号対雑音比の最適化につながる。さらに、ＦＣＰＡの反復率は容易に調製可能であり、それによって、信号対雑音構成の最適化が、異なる体積画像化の要請に対して維持されうる。
【００４８】
開示される技術のモジュラー設計は、例えば設計への４から８倍の空間及び／または時間的多重化を、Ｖ−ＦＯＶ及び／または時間的分解能への同じ倍率の増加に直接変換する設計に直接的に組み込むことを可能にする。さらに、３光子走査顕微鏡法の画像化システム１００への組み込みは、ある深さにおける集束されていない蛍光及び励起ビームの散乱を大きく減少させることによって、脳深部構造の非侵襲的画像化を可能にする。これは、ＦＣＰＡの発光波長を約１４００ｎｍにシフトすることができる光学パラメトリック増幅器（Ｏｐｔｉｃａｌ  Ｐａｒａｍｅｔｒｉｃ  Ａｍｐｌｉｆｉｅｒ，ＯＰＡ）を通じて達成可能である。
【００４９】
様々な実施例において、光スカルプティング手法を採用することにより、励起領域は、対象とする構造（例えば神経細胞）として同じ程度の強さで体積内に成形されうる。そのため、蛍光体の非飽和励起レベルを維持しつつ、非常に多くのＧＣａＭＰ蛍光が、画像化ボクセルごとに収集されうる。空間分解能の低下は、今度は、走査されるべき直線当たりの点が少なくなるにつれ、フレーム当たりの直線が少なくなるにつれ、体積当たりの画像平面が少なくなるにつれ、より高速な体積画像化速度と引き換えにされうる。
【００５０】
図２は、ある実施例に従う、時間集束されたレーザービームレットの空間多重化の拡大図を示している。サンプル１１９におけるレーザーパワーの利用可能性に応じて、空間領域において４倍の空間多重化（例えば２×２）が選択可能であり、ビーム１０９に含まれるビームレット１０９ａ、１０９ｂ、１０９ｃ及び１０９ｄに関する集束スポットは、例えば５００μｍだけ離隔される。図２に示されるように、２×２空間多重化は、サンプル１１９を４つの四分の一区画Ｑ１、Ｑ２、Ｑ３及びＱ４に分割し、分散されたビームレットを４つの四分の一区画に集束することによって達成可能である。時間集束されたスポット２０１、２０３、２０５及び２０７は、時間集束されたスポットがそれぞれ１つのＦＯＶ  Ｑ１、Ｑ２、Ｑ３、またはＱ４内で走査されるように、サンプル１１９にわたって走査可能である。
【００５１】
数式（１）に関して前述したように、各ビームレットは同じパルスエネルギーを維持しなければならないため、空間多重化及び時間多重化は、利用可能なレーザーパワーに依存する。カスタム設計の反射防止被覆された顕微鏡対物系１３３は、他の時間集束光学系の慎重な選択とともに、確実に光学表面反射に起因する損失を最小に維持しうる。
【００５２】
図３は、ある実施例に従う空間多重化されたサンプルの走査を示している。図３の図表３０１、３０３、３０５、３０７、３０９および３１１は、サンプル１１９が４つの四分の一区画Ｑ１、Ｑ２、Ｑ３、Ｑ４に分割されたサンプル１１９の空間多重化を示している。時間集束レーザースポット２０１、２０３、２０５、２０７は、それぞれ四分の一区画Ｑ１、Ｑ２、Ｑ３、Ｑ４内でサンプル１１９の領域を走査する。サンプルの走査は、サイン曲線パターン３１３に基づいてスキャナー１１１によって実施されうるが、その他のパターンも使用されうる。サイン曲線走査の間、時間集束されたスポット２０１−２０７のそれぞれは、サイン曲線パターン３１３に基づいて走査領域内を動くことにより、各領域Ｑ１からＱ４を走査する。
【００５３】
図４Ａから４Ｄは、ある実施例に従う画像化システムによるサンプル１１９の走査の段階を示している。図４Ａから４Ｄは、サンプル１１９を走査するための、画像化システム１００によるサンプル１１９上のビームレット１０９ａの動きを簡略化して表している。ビームレット１０９は、望遠鏡１１７（図４Ａから４Ｄには示されていない）によってサンプル１１９上に集束され、ビームレット１０９ａは、スキャナー１１１内に含まれるスキャナー素子４０７によってビームレット１０９ａに適用される角度偏向の量に対する変化により、サンプル１１９を通して走査される。スキャナー素子４０７は、矢印４０３に示されるように、ビームレット１０９ａの偏向角度を連続的に変化させ、これは、図４Ａから４Ｄへの集束スポット２０１の位置の変化につながる。移動するビームレット１０９ａの結果として、集束スポット２０１は、サンプル１１９上を移動し、サンプルを走査することができる。例えば、図４Ａに示された時間ｔ１において、集束スポット２０１は、図示された位置にある。時間ｔ２（図４Ｂ）において、集束スポット２０１は、位置４０５（集束スポット２０１の位置）から動かされ、４０９として示される方向に移動する。時間ｔ２において、レーザーモジュール１３９は光パルスを出力していないが、図４Ｂは、パルスが時間ｔ２において出力されているとした場合の仮想のビームレット１０９ａがとることとなる経路を示している。図４Ｃは、時間ｔ３（Δｔ〜ｔ３−ｔ１）における集束スポット２０１を示しており、初期位置４０５と図４Ｃに示された位置との間の集束スポット２０１の移動距離がΔｄとして示されている。同様に、図４Ｄにおけるｔ３からｔ４までの別の経過時間Δｔ（Δｔ〜ｔ４−ｔ３）後、集束スポット２０１は位置４１１（時間ｔ３における図４Ｃに示された集束スポット２０１の位置）から図４Ｄに示された位置まで移動する。結果として、スキャナー１１１は、ビームレット１０９ａを連続的に動かすことによってサンプル１１９を通して集束スポット２０１を走査し、サンプル１１９上のビームレット１０９ａの集束スポット２０１は、各経過時間Δｔの間に距離Δｄだけ移動する。初期位置４０５、位置４１１及び図４Ｄの集束スポット２０１の位置の差によって示されるように、距離Δｄは、集束スポット２０１の幅にほぼ等しい。
【００５４】
図５は、ある実施例に従う、時間多重化の可視化を示す。レーザーモジュール１３９は、光学パルスを複数のサブパルスに分割し、個別のサブパルス間に相対的時間遅延を導入するように構成された光学遅延モジュール５００またはサブパルス間に時間遅延を導入する代替的な方法を含みうる。図５に示された例では、光学遅延モジュール５００は、レーザーモジュール１３９によって発生された主光学パルス５０１を３つのサブパルス５０３、５０５、５０７に分割する三方向ビームスプリッター５２０を含む。３つのサブパルス５０３、５０５、５０７は、三方向ビームスプリッター５２０から各光学経路５１４、５１６、５２０を介して光学結合器５３０に進む。光学経路５１４、５１６、５１８は、単純に自由空間伝搬の導管でありえ、または光ファイバーの形態をとりうる。しかし、それぞれの場合において、サブパルス５０３、５０５、５０７のそれぞれが各径路を進むのに必要な時間が異なるように、光学経路の経路長に違いが存在する。
【００５５】
そのため、第２のサブパルス５０５のための第２の光学経路５１６の長さは、サブパルス５０３に対する約１０ｎｓ（ナノ秒）の第１の時間遅延がサブパルス５０５に導入されるように、第１のサブパルス５０３のための第１の光学経路５１４の長さに対して異なるように選択可能である。同様に、サブパルス５０３に対して約２０ｎｓ（及びサブパルス５０５に対して１０ｎｓ）の第２の時間遅延が、第３の光学経路５１８に、第１及び第２の光学経路に対して適切な長さを提供することによって、第３のサブパルス５０７に導入される。
【００５６】
複数のサブパルス５０３、５０５、５０７は、光学結合器によって主ビーム出力に、またはレーザーモジュール１３９によって近接した複数の出力に再結合される。光学結合器は、ミラー及び／または透過素子もしくはサブパルスを同じ方向に向けなおすように構成されたその他の素子の組合せでありうる。具体的には、光学結合器は、偏光または非偏光光学ビームスプリッターの形態をとることができる。議論を便利にするために、結合されたサブパルスは、まとめて「光学パルス５１５」または「１組のサブパルス」と呼ばれうる。
【００５７】
光学遅延モジュール５００はまた、好適には三方向ビームスプリッター５２０と光学結合器５３０との間に配置された集束レンズ５０９、５１１、５１３の構成を含む。サブパルス５０３は、サンプル１１９内の第１のｚ平面に集束を生じさせる第１の発散を有するレンズ５０９によって集束されうる。サブパルス５０５は、第１のｚ平面とは異なるサンプル１１９内の第２のｚ平面に集束を生じさせる第２の発散を有するレンズ５１１によって集束される。サブパルス５０７は、第１及び第２のｚ平面とは異なるサンプル１１９内の第３のｚ平面に集束を生じさせる第３の発散を有するレンズ５１３によって集束される。具体的には、これらの集束レンズ及び対応するその他の光学素子の角度及び位置は、図６Ｂに関して以下にさらに議論されるように、全てのパルスがターゲット体積内の同じ深さに集束されるが、隣接する平面に向けられるように配置され、選択されうる。
【００５８】
いくつかの例において、光学パルス５１５は、図１に示されたビームスプリッター１０７などのビームスプリッターに送られ、光学パルス５１５などの、複数のサブパルスを含む光学パルスをそれぞれ含む複数のサブビームを用いた空間多重化及び時間多重化の両方を実行しうる。いくつかの例において、画像化デバイスは、空間多重化とともに時間多重化を使用しうるが、主光学パルス５０１を一連の時間遅延サブパルスに分割した後にビーム分離を実行しない場合がありうる。この開示に示された例は、主光学パルスを時間多重化のために３つのサブパルスに分割するが、いくつかの例では、その代わりに主光学パルスが、サブパルス間に相対時間遅延を有する２つのサブパルスに分割され、または４つもしくはそれ以上のサブパルスに分割されうる。
【００５９】
本開示に示された例は、光学パルス５１５に含まれるサブパルス５０３、５０５、５０７間の約１０ｎｓの相対時間遅延を使用するが、その他の時間遅延量も使用されうる。例えば、連続するパルスの間隔が２５０ｎｓに対応する、主光学パルス５１０について４ＭＨｚの反復率がある場合、３つのサブパルスについて最大２５０ｎｓ／３または約８０ｎｓの相対時間遅延が、サブパルス間で使用されうる。相対時間遅延は、ＧＣａＭＰ蛍光体について約３ｎｓである、予測される蛍光遅延時間よりも長くなるべきである。そのため、約３ｎｓよりも長い相対時間遅延が、そのような用途には好適である。いくつかの例において、相対時間遅延は、１００ｎｓもしくそれ以上、５０ｎｓもしくはそれ以上、２０ｎｓもしくはそれ以上、１０ｎｓもしくはそれ以上、５ｎｓもしくはそれ以上、２ｎｓもしくはそ以上、または１ｎｓもしくはそれ以上でありうる。
【００６０】
サンプル１１９における所望量のレーザーパワーに依存して、いくつかの例において、空間領域で４倍多重化（例えば２×２）が、５００μｍだけ離隔された焦点１０９を有し、同時にいくつかのｚ平面を画像取得するために時間領域で最大４倍の多重化と組み合わせて選択可能である（図６から９に示された４×３空間多重化及び時間多重化と同様）。これらの改善で、１×１×０．７ｍｍのＶ−ＦＯＶが、少なくとも３Ｈｚのフレームレートで達成可能である。代替的に、時間多重化が、５００×５００×５００μｍのＶ−ＦＯＶを少なくとも１２Ｈｚのフレームレートで画像化するために、空間多重化なしに採用されうる。各ボクセルを画像化するために単一の光学パルスを使用することに起因する、より高いパルスエネルギーであっても、生体損傷は、限定因子として予測されない。これは、パワーが、約５×５×５μｍの体積にわたって分布するためであり、これは標準的な２光子顕微鏡法で従来使用される回折限界体積よりも約１０００倍大きい。
【００６１】
図６Ａは、ある実施例に従う、サンプル内を伝搬する時間多重化サブパルスを示している。光学パルス５１５に再結合された図５の時間多重化サブパルス５０３、５０５、５０７は、図１に示されたサブビーム経路によって示されるようにサンプル１１９に送られる。各サブパルス５０３、５０５、５０７に適用される異なる発散の結果として、各サブパルス５０３、５０５、５０７は、サンプル１１９内の異なる各ｚ平面に集束される。図６Ａに示された例において、サブパルス５０３は、深さＺ１における第１のｚ平面に集束され、第１のｚ平面上のサンプル１１９を励起するための各集束スポットを発生させる。サブパルス５０５（サブパルス５０３に対して１０ｎｓの時間遅延を有する）は、深さＺ１とは異なり、Ｚ１よりも大きな深さＺ２における第２のｚ平面に集束され、第２のｚ平面上のサンプル１１９を励起するための各集束スポットを発生させる。サブパルス５０７（サブパルス５０３に対して２０ｎｓの時間遅延及びサブパルス５０５に対して１０ｎｓの時間遅延を有する）は、深さＺ１及びＺ２とは異なり、Ｚ１及びＺ２よりも大きな深さＺ３における第３のｚ平面に集束され、第３のｚ平面上のサンプル１１９を励起するための各集束スポットを発生させる。議論の利便性のために、これはまた、深さＺ１に侵入するサブパルス５０３、深さＺ２に侵入するサブパルス５０５、及び深さＺ３に侵入するサブパルス５０７としても記述されうる。
【００６２】
異なる深さにおいて集束を達成するために、図６Ａに示されるように、ビーム伝搬に沿ってわずかに異なる軸位置に配置された複数の時間集束格子１１５’が必要とされる。これを達成する具体的な方法は、図１３に示されたような複数の時間集束格子１１５’をサポートする複数素子格子アセンブリ１３００を使用することである。アセンブリ１３００は、一般に、底部から上方に延在するいくつかの脚部１３０４及び各脚部の端部において支持された時間集束格子１１５’を有して形成された底部１３０２を含む。脚部１３０４は、時間集束格子１１５’がビーム経路１３０６に沿って異なる軸位置に位置されるように（これは、アセンブリ１３００がシステムに組み込まれているときには底部１３０２に対して垂直となる）、底部１３０２に対してそれぞれ異なる高さを有する。
【００６３】
図６Ｂは、図１に示されるように、単一の格子１１５を使用する実施例に従う、サンプル内に侵入する時間多重化サブパルスを示す。図５の時間多重化サブパルス５０３、５０５、５０７は、サブパルスがサンプルの同じ深さに集束されるが、隣接する平面に導かれるようにサンプル１１９に送られる。図６Ｂに示された例において、サブパルス５０３は、深さＺ１の第１の平面領域に集束され、第１の平面領域上のサンプル１１９を励起するための各集束スポットを生成する。サブパルス５０５（サブパルス５０３に対して１０ｎｓの時間遅延を有する）は、同じ深さＺ１の第２の平面領域に集束され、第２の平面領域上のサンプル１１９を励起するための各集束スポットを生成する。サブパルス５０７（サブパルス５０３に対して２０ｎｓの時間遅延及びサブパルス５０５に対して１０ｎｓの時間遅延を有する）は、第１及び第２の平面領域と同じ深さＺ１の第３の平面領域に集束され、第３の平面領域上のサンプル１１９を励起するための各集束スポットを生成する。
【００６４】
図６Ａ及び６Ｂには、３つの時間多重化サブパルスしか示されていないが、時間多重化サブパルスの数は、３つに限定されない。例えば、それぞれ遅延及び集束深さ／平面領域を有する４つまたはそれ以上のサブパルスが使用されてもよい。図６Ａは、サブパルスが時間遅延の増加に相関して増加する深さに集束される例を示しているが、集束深さ及び時間遅延は、いくつかの例においてはこのような関係を有さなくてもよい。
【００６５】
図７、８及び９は、ある実施例に従う、サンプル内に侵入する複数のサブパルスをそれぞれ含む光学パルスをそれぞれ送達する複数のサブビームを含む、時間多重化及び空間多重化されたビームの可視化を示す。具体的には、これらの可視化は、各部分（これらの例では、各四分の一区画Ｑ１からＱ４）にそれぞれ導かれる４つのサブビーム５１５ａ、５１５ｂ、５１５ｃ及び５１５ｄを有する４×３空間多重化及び時間多重化を用い、それぞれ相対的に時間遅延され、それぞれ異なる深さ（各ｚ平面）に集束される３つのサブパルスのセットを反復して送達する画像化システムに関連する。４つのサブビーム５１５ａ、５１５ｂ、５１５ｃ、５１５ｄとなる空間多重化は、図１から３などに関連して上述されるように実行され、それぞれ３つのサブパルスのセットを含む光学パルスとなる時間多重化は図５及び６などに関連して上述されるように実行されうる。サンプル１１９のこれら各部分内のボクセルを走査するためのサブビーム５１５ａ、５１５ｂ、５１５ｃ、５１５ｄの偏向は、図１、３、４等に関連して上述されるように実行されうる。４つの空間多重化サブビーム５１５ａ、５１５ｂ、５１５ｃ、５１５ｄのみが示されているが、空間多重化サブビームの数は４つに限定されない。サンプル１１９は、サブビームの数の対応する増加に従って４つより多い部分に分割されうる。同様に、３つより多いサブパルスが、ｚ平面の数の対応する増加とともに、サブパルスの各セットに含まれうる。
【００６６】
各サブビーム５１５ａから５１５ｄは、図５及び６に示された光学パルス５１５内に含まれる時間多重化サブパルス５０３、５０５、５０７などの複数のサブパルスをそれぞれ含む時間多重化光学パルスを含んでこれらを反復して送達し、サブパルスは、各深さＺ１（ｚ平面＃１に対応する）、Ｚ２（ｚ平面＃２に対応する）、Ｚ３（ｚ平面＃３に対応する）におけるサンプル１１９に侵入する。さらに、各サブビーム５１５ａから５１５ｄは、サンプル１１９の各１つの部分または区分（例えば四分の一区画Ｑ１、Ｑ２、Ｑ３、Ｑ４）を走査するために使用される。結果として、光学スキャナー（図３に示されたサイン波パターン３１３の１回のパスを実行する図１に関して説明されたスキャナー１１１など）によって実行される完全な２Ｄ走査シーケンスが、サンプル１１９がＺ平面＃１、Ｚ平面＃２、Ｚ平面＃３として示される３つの異なる深さにおける画像化平面を通る１２個の焦点を走査することによって走査されるようになる、サンプルの３次元走査が提供されうる。
【００６７】
図８において、３つの平面、ｚ平面＃１、ｚ平面＃２、ｚ平面＃３の第１のセットを画像化した後、サブビーム５１５ａから５１５ｄについての集束スポットはサンプル１１９を通り続け、Ｚ平面はｚ方向に移動し、例えばＺ平面＃１は、それ以前の位置から新しい位置であるＺ平面＃４に移動する。同様に、Ｚ平面＃２及び＃３は、それぞれ新しい位置であるＺ平面＃５、Ｚ平面＃６に移動する。そのような位置の変化は、ｚ平面＃１とｚ平面＃２との間のボクセルが全て走査されるように続けられうる。
【００６８】
図９において、別の平面の移動が示される。ｚ平面＃１をｚ平面＃１とｚ平面＃２との間の新しい位置に移動するのではなく、ｚ平面＃１はｚ平面＃３よりも深い深さにあるｚ平面＃７に移動される。
【００６９】
図１０Ａ、１０Ｂは、ある実施例に従う光学パルス（時間多重化されたサブパルスであるか、またはそうではない）についての集束スポットの走査を示す。大きさの小さい時間集束スポット１０２１は、画像化視野（Ｆｉｅｌｄ−Ｏｆ−Ｖｉｅｗ，ＦＯＶ）１０２３にわたって走査されうる。ＦＯＶ１０２３は、サンプル１１９のスライスでありえ、この画像は画像化システム１００によって取得される。光学パルス（時間多重化されたサブパルスであるか、またはそうではない）のサンプル１１９の深さ方向への侵入は、サンプル１１９のスライスの積層１０３１を走査することができる。各スライス１０２３は、図７から９のＺ平面に類似している。集束スポット１０２１は、図２及び図７に示されたスポット２０１、２０３、２０５、２０７に類似しうる。例えば、時間集束スポット１０２１の大きさは、約５×５×５μｍでありうる。光彫像のために、サンプル１１９の励起は、等方的に閉じ込められ、そのため、座標系１０２５、１０２７、１０２９によって示されるように、ｘ、ｙまたはｚ軸方向に、単一ニューロン光学区画化能力をもたらしうる。体積取得は、サンプル１１９の軸方向走査によって実行されうる。軸方向走査は、励起した蛍光を光増倍管（ＰＭＴ）１２７（図１に示される）によって検出させることができる。図３に既に示されたように、時間集束スポット１０２１によるサンプル１１９のスライス１０２３の走査は、サイン波パターン１０３３で実行されうる。
【００７０】
いくつかの実施例において、幅広い分野の時間集束に基づく顕微鏡法の様々な様式が確立されうる。時間集束の走査の変形例、適切な名前では走査時間集束が、本明細書で説明される。走査時間集束は、空間及び時間多重化とともに、最先端のファイバーベースのレーザー増幅器と組み合わされ、２光子レーザー走査顕微鏡法における設計を回避し、最適化しうる。例えば、５×５×５μｍの励起体積を光彫像化し、画像ＦＯＶにわたって励起体積を急速に走査することにより、平面取得速度は、単一ニューロン分解能を犠牲にすることなく、劇的に改善されうる。反復率（例えば１秒当たりのレーザーパルス）を１秒当たりの取得ボクセルの数に整合させることは、単一レーザーパルスのみが、方程式（１）に示されるように画像の画素取得の間にサンプルを励起するために使用可能であり、それによって撮影ノイズがさらに最小化されるため、最適な信号対雑音比をさらにもたらす。
【００７１】
図１１は、ある実施例に従う、核閉じ込め赤色蛍光たんぱく質を表すマウスの聴覚皮質における生体内体積積層取得を示している。積層１１０１は、図１に示されるように、５μｍのスポットで走査される時間集束構成及びスキャナー１１１（例えば、ガルバノメトリックミラー）で取得されうる。レーザーモジュール１３９の平均パワーは、深さによって２５から５０ｍＷの間でありうる。スケール１１０３は、１００μｍから６００μｍの深さを表示している。画像１１０５ａ、１１０５ｂ、１１０５ｃ、１１０５ｄは、積層１１０１の拡大画像である。画像１１０５ｄに示されるように、５００μｍを超える深さにおいてさえも、ニューロン核が明確に識別可能である。
【００７２】
図１２は、マルチチャンネル計数カード（ｄｍＣＣ）１２９及び計算デバイス１３１などの、しかしこれらに限定されない実装されうる本開示の態様におけるコンピュータシステム１２００を示すブロック図である。コンピュータシステム１２００は、バス１２０２または情報を通信するためのその他の通信機構と、情報を処理するためにバス１２０２に結合されたプロセッサ１２０４と、を含む。コンピュータシステム１２００はまた、情報及び、プロセッサ１２０４によって実行されることとなる命令を保存するためにバス１２０２に結合されたランダムアクセスメモリ（ＲＡＭ）またはその他の動的保存デバイスなどの主メモリ１２０６を含む。主メモリ１２０６はまた、プロセッサ１２０４によって実行されることとなる命令の実行の間、一時変数またはその他の中間情報を保存するためにも使用されうる。コンピュータシステム１２００はさらに、静的情報及びプロセッサ１２０４のための命令を保存するためにバス１２０２に結合された読み出し専用メモリ（ＲＯＭ）１２０８またはその他の静的保存デバイスを含む。磁気ディスクまたは光学ディスクなどの保存デバイス１２１０は、情報及び命令を保存するために提供され、バス１２０２に結合される。
【００７３】
様々なその他の動作は、ＷＬＡＮ識別の問題に応じて実行されうる。いくつかの状況において、無線ルーターの置き換えは、悪い無線ルータの検出に応じて使用者に自動的に発信されうる。いくつかの状況において、使用者は、使用者の位置におけるサービス品質に影響を与えうる、潜在的なＷＬＡＮの問題または潜在的に問題を生じうるデバイスについての注意を（例えば、電子メール及びポップアップウィンドウを通じて）自動的に受けうる。いくつかの状況において、システムは、無線ルータのアップグレード、クライアントデバイスのアップグレード、無線ルータまたはクライアントデバイスの移動または配置の示唆、及び無線ネットワークリピータの使用の示唆などの、ＷＬＡＮの変更を自動的に推薦しうる。いくつかの状況において、ＷＬＡＮ状態についての情報は、月次請求書またはオンラインアカウントウェブページに自動的に含まれうる。いくつかの状況において、カスタマーサポートに連絡する使用者のネットワーク状態は、データベースに収集され、使用者の不満に関する理由を動的に及び／または自動的に識別するのに使用されてもよく、例えば、無線ルータのモデルが識別され、他のネットワークハードウェアおよびクライアントデバイスとの互換性について評価され、ＣＰＥ１３２（統合無線ルータを含む）についての情報は、経時的に品質を向上させるために収集されうる。
【００７４】
コンピュータシステム１２００は、コンピュータの使用者に情報を表示するための、陰極線管（ＣＲＴ）または液晶ディスプレイ（ＬＣＤ）などのディスプレイ１２１２に、バス１２０２を介して結合されうる。英数字キーまたはその他のキーを含む入力デバイス１２１４は、情報及び命令の選択をプロセッサ１２０４に通信するためにバス１２０２に結合される。別の種類のユーザー入力デバイスは、指示情報及び命令選択をプロセッサ１２０４に伝え、ディスプレイ１２１２上でのカーソルの移動を制御するためのマウス、トラックボールまたはカーソル方向キーなどのカーソル制御１２１６である。この入力デバイスは、典型的には第１の軸（例えばｘ）及び第２の軸（例えばｙ）の２軸方向に２自由度を有し、それによって、デバイスが平面内の位置を特定することが可能になる。別の種類のユーザー入力デバイスは、ディスプレイ１２１２を、ディスプレイ１２１２上の接触を登録するハードウェアと一般的に結合するタッチスクリーンである。
【００７５】
本開示は、本明細書で説明された技術を実現するためのコンピュータシステム１２００などのコンピュータシステムの使用に関する。いくつかの例において、これらの技術は、主メモリ１２０６内に格納された１つまたは複数の命令の１つまたは複数のシーケンスを実行するプロセッサ１２０４に応じて、コンピュータシステム１２００によって実行される。そのような命令は、保存デバイス１２１０などの別の機械可読媒体から主メモリ１２０６内に読み出されうる。主メモリ１２０６内に格納された命令のシーケンスの実行により、プロセッサ１２０４は、本明細書で説明されたプロセスステップを実行する。いくつかの例において、ハード配線回路が、本開示の様々な態様を実施するためのソフトウェア命令の代わりに、またはソフトウェア命令と組み合わせて使用されうる。そのため、実施は、ハードウェア回路及びソフトウェアのいかなる特定の組合せにも制限されない。
【００７６】
本明細書で使用される「機械可読媒体」との用語は、特定の様式で機械を実行させるデータの提供に関与する任意の媒体を指す。コンピュータシステム１２００を使用して実現されるいくつかの例において、様々な機械可読媒体が、例えば実行のためにプロセッサ１２０４に命令を提供する際に伴われうる。そのような媒体は、不揮発性媒体、揮発性媒体及び伝達媒体を含むがこれらに限定されない多数の形態をとりうる。不揮発性媒体は、例えば、保存デバイス１２１０などの光学または磁気ディスクを含む。揮発性媒体は、主メモリ１２０６などのダイナミックメモリを含む。伝達媒体は、バス１２０２を備えるワイヤーを含む、同軸ケーブル、銅配線及び光ファイバーを含む。伝達媒体はまた、無線及び赤外線データ通信で生成されるもののような音響または光波の形態をとることもできる。そのような媒体の全ては、媒体によって搬送される命令が、機械内に命令を読み出す物理的機構によって検出されることを可能にするように有形でなければならない。
【００７７】
機械可読媒体の共通の形態は、例えば、フロッピーディスク、フレキシブルディスク、ハードディスク、磁気テープ、またはその他任意の磁気媒体、ＣＤ−ＲＯＭ、その他任意の光学媒体、パンチカード、紙テープ、その他任意の孔のパターンを有する物理媒体、ＲＡＭ、ＰＲＯＭ及びＥＰＲＯＭ、ＦＬＡＳＨ−ＥＰＲＯＭ、その他任意のメモリチップまたはカートリッジ、以下説明されるような搬送波、またはコンピュータが読み出すことが可能なその他任意の媒体を含む。
【００７８】
機械可読媒体の様々な形態は、実行のためにプロセッサ１２０４に１つまたは複数の命令の１つまたは複数のシーケンスを搬送する際に伴われうる。例えば、命令は、最初に遠隔コンピュータの磁気ディスク上で搬送されうる。遠隔コンピュータは、そのダイナミックメモリに命令をロードし、モデムを用いて電話線を通して命令を送信することができる。コンピュータシステム１２００に局在するモデムは、電話線上のデータを受信し、データを赤外線信号に変換するための赤外線送信器を使用することができる。赤外線検出器は、赤外線信号内で搬送されるデータを受信することができ、適切な回路が、データをバス１２０２に載せることができる。バス１２０２は、データを主メモリ１２０６に搬送し、そこからプロセッサ１２０４が命令を回収し、実行する。主メモリ１２０６によって受信された命令は、プロセッサ１２０４によって実行される前またはされた後のいずれかにおいて、保存デバイス１２１０に任意選択的に保存されうる。
【００７９】
コンピュータシステム１２００はまた、バス１２０２に結合された通信インターフェース１２１８を含む。通信インターフェース１２１８は、ローカルネットワーク１２２２に接続されたネットワークリンク１２２０に結合する双方向データ通信を提供する。例えば、通信インターフェース１２１８は、対応する種類の電話線にデータ通信接続を提供するための統合サービスデジタルネットワーク（ＩＳＤＮ）カードまたはモデムでありうる。別の例として、通信インターフェース１２１８は、互換ＬＡＮにデータ通信接続を提供するためのローカルエリアネットワーク（ＬＡＮ）カードでありうる。無線リンクも実現されうる。そのような任意の実施例において、通信インターフェース１２１８は、様々な種類の情報を表すデジタルデータストリームを搬送する電気的、電磁的または光学的信号を送受信する。
【００８０】
ネットワークリンク１２２０は、典型的には１つまたは複数のネットワークを介してデータ通信を別のデータデバイスに提供する。例えば、ネットワークリンク１２２０は、ローカルネットワーク１２２２を介して、ホストコンピュータ１２２４またはインターネットサービスプロバイダ（ＩＳＰ）１２２６によって稼働されるデータ設備に、接続を提供しうる。ＩＳＰ１２２６は、今度は、現在一般に「インターネット」１２２８と呼ばれる世界規模パケットデータ通信ネットワークを介してデータ通信サービスを提供する。ローカルネットワーク１２２２及びインターネット１２２８はどちらも、デジタルデータストリームを搬送する電気的、電磁的または光学的信号を使用する。コンピュータシステム１２００へ、またはコンピュータシステム１２００からデジタルデータを搬送する、様々なネットワークを介した信号及びネットワークリンク１２２０上にあり通信インターフェース１２１８を介した信号は、情報を伝達する搬送波の例示的な形態である。
【００８１】
コンピュータシステム１２００は、１つまたは複数のネットワーク、ネットワークリンク１２２０、通信インターフェース１２１８を介して、プログラムコードを含む、メッセージを送信し、データを受信することができる。インターネットの例では、サーバー１２３０は、インターネット１２２８、ＩＳＰ１２２６、ローカルネットワーク１２２２及び通信インターフェース１２１８を通して、アプリケーションプログラムのために要求されたコードを送信しうる。
【００８２】
受信したコードは、受信されたときにプロセッサ１２０４によって実行され、及び／または後で実行するために保存デバイス１２１０もしくは他の不揮発性保存装置に保存されうる。この場合、コンピュータシステム１２００は、搬送波の形態でアプリケーションコードを取得しうる。
【００８３】
前述の例の様々な構成要素の分離は、そのような分離をすべての例で必要とするものとして理解すべきではなく、説明された構成要素およびシステムは、一般に単一のパッケージまたは複数のシステムに集合的に統合可能であることを理解すべきである。
【００８４】
ベストモード及び／またはその他の例として考えられるものについて前述したが、様々な改良がなされてもよく、本明細書で開示される対象は、様々な形態及び例において実施されてもよく、教示は多数の用途に適用されてもよく、そのいくつかのみが本明細書で説明されたにすぎないことは理解される。以下の特許請求の範囲によって、本教示の真の範囲に含まれる任意の及びすべての応用例、改良および変形例を請求することが意図される。
【００８５】
そうでないと明言されたのでなければ、全ての測定、値、割合、位置、強度、大きさ及び以下の特許請求の範囲を含む本明細書で記述されたその他の特定事項は、近似的なものであり、厳密な値ではない。これらは、関連する機能及び付随する技術の慣習となっているものと整合する合理的な範囲を有することを意図される。
【００８６】
直前に述べられたものを除いて、言及されたものまたは図示されたものはいかなるものであっても、特許請求の範囲に記載されているか否かにかかわらず、任意の構成要素、ステップ、特徴、目的、利益、利点または等価物の公衆に対する貢献を生じるものと意図されるものではなく、解釈されるべきものではない。
【００８７】
本明細書で使用される用語及び表現は、代わりに特定の意味が本明細書で記載されている場合を除き、調査及び研究の対応するそれぞれの分野に関するそのような用語及び表現と調和するものとして、通常の意味を有することは理解されるであろう。第１及び第２などの関連性を表す用語は、単に１つの物体または動作を別の物から区別するために使用されうるにすぎず、そのような物体または動作の間のいかなる実際のそのような関係も順序も必ずしも必要とせず、または意味しない。「含む」、「含んでいる」との用語またはその他任意の変形例は、要素のリストを含むプロセス、方法、物品または装置が、これらの要素を含むだけでなく、そのようなプロセス、方法、物品または装置に明示的に挙げられなかった、または固有のその他の要素を含みうるように、非排他的な包含関係をカバーするものと意図される。「１つの」に続く要素は、さらなる限定がなければ、その要素を含むプロセス、方法、物品または装置内の追加的な同一の要素の存在を排除しない。
【００８８】
前述の実施形態が、個人によって提供された個人情報を収集し、保存し、または採用する限りにおいて、そのような情報は、個人情報保護に関するすべての適用可能な法律に従って使用されるものとすることは理解されるべきである。さらに、そのような情報の収集、保存及び使用は、例えば状況及び情報の種類に対して適切でありうるような周知の「オプトイン」または「オプトアウト」プロセスを介して、個人の同意をそのような活動に課しうる。個人情報の保存及び使用は、例えば、具体的に慎重に扱うべき情報についての様々な暗号化及び匿名化技術を介して、情報の種類を反映した適切に安全な方法でありうる。
【００８９】
前述の発明の詳細な説明において、様々な特徴が、本開示を合理化する目的で様々な例とともにグループ化されていることが分かる。本開示のこの方法は、請求項が、各請求項で明示的に記載されているよりも多くの特徴を必要とするという意図を反映しているものとして解釈されるべきではない。むしろ、以下の請求項が反映するように、発明の対象は、開示された単一の例の全ての特徴よりも少ない特徴にある。そのため、以下の特許請求の範囲は、個別に特許請求される対象として、各請求項がそれ自体に立脚して、発明の詳細な説明に組み込まれる。
【符号の説明】
【００９０】
１００  画像化システム
１０７  ビームスプリッター
１０９  ビーム
１０９ａ、１０９ｂ、１０９ｃ、１０９ｄ  ビームレット
１１１  スキャナー
１１３  球面走査レンズ
１１５  スペクトル分散素子
１１５’  時間集束格子
１１７  望遠鏡
１１９  サンプル
１２５  マイクロレンズアレイ
１２７  マルチアノード光子増倍管
１２９  マルチチャンネル計数カード
１３０  増幅レーザー源
１３１  計算デバイス
１３２  ＣＰＥ
１３３  対物レンズ
１３７  ＴＦレンズ
１３９  パルス出力レーザーモジュール
２０１、２０３、２０５、２０７  集束スポット
３１３  サイン曲線パターン
４０５  初期位置
４０７  スキャナー素子
４１１  位置
５００  光学遅延モジュール
５０１  主光学パルス
５０３、５０５、５０７  サブパルス
５０９、５１１、５１３  レンズ
５１４、５１６、５１８  光学経路
５１５  光学パルス
５１５ａ、５１５ｂ、５１５ｃ、５１５ｄ  サブビーム
５２０  三方向ビームスプリッター
５３０  光学結合器
１０２１  時間集束スポット
１０２３  画像化視野（ＦＯＶ）
１０２５、１０２７、１０２９  座標系
１０３１  スライスの積層
１０３３  サイン波パターン
１１０１  積層
１１０３  スケール
１１０５ａ、１１０５ｂ、１１０５ｃ、１１０５ｄ  画像
１２００  コンピュータシステム
１２０２  バス
１２０４  プロセッサ
１２０６  主メモリ
１２０８  読み出し専用メモリ
１２１０  保存デバイス
１２１２  ディスプレイ
１２１８  通信インターフェース
１２２０  ネットワークリンク
１２２２  ローカルネットワーク
１２２４  ホストコンピュータ
１２２６  インターネットサービスプロバイダ
１２２８  インターネット
１２３０  サーバー
１３００  複数素子格子アセンブリ
１３０２  底部
１３０４  脚部
１３０６  ビーム経路
【図１】
2019536059.tif 000004
【図２】
2019536059.tif 000005
【図３】
2019536059.tif 000006
【図４Ａ】
2019536059.tif 000007
【図４Ｂ】
2019536059.tif 000008
【図４Ｃ】
2019536059.tif 000009
【図４Ｄ】
2019536059.tif 000010
【図５】
2019536059.tif 000011
【図６Ａ】
2019536059.tif 000012
【図６Ｂ】
2019536059.tif 000013
【図７】
2019536059.tif 000014
【図８】
2019536059.tif 000015
【図９】
2019536059.tif 000016
【図１０Ａ】
2019536059.tif 000017
【図１０Ｂ】
2019536059.tif 000018
【図１１】
2019536059.tif 000019
【図１２】
2019536059.tif 000020
【図１３】
2019536059.tif 000021
【国際調査報告】
2019536059.tif 000022